(57)【特許請求の範囲】
【請求項１】
操作面に接触し、該操作面上の接触位置に応じた座標位置を検出する座標検出手段と、
前記座標検出手段を収納し、前記操作面を表出させる第１開口部を含む筐体と、
前記第１開口部に対応する第２開口部を含む矩形環状に構成されるとともに、開放位置と閉成位置との間で前記筐体に対して回動自在に軸支され、閉成位置において前記筐体との間でシート材を前記操作面上に保持する保持手段と
を有し、
前記筐体は、前記第１開口部に面取り部を含み、
前記保持手段は、前記第２開口部に形成され、前記面取り部に対応する傾斜を有する傾斜突出部を含み、
前記傾斜突出部は、前記保持手段が閉成位置にあるときに、前記シート材を前記操作面側に案内することを特徴とする座標入力装置。
【請求項２】
前記傾斜突出部は、前記保持手段が閉成位置で前記シート材を保持する際に、前記シート材と前記操作面との間に所定の間隙を保持するように構成される、請求項１に記載の座標入力装置。
【請求項３】
前記シート材が前記操作面に載置されたか否かを検出する検出手段と、前記検出手段の検出結果に応じて前記操作面の接触により得られる座標情報の処理を切り換える制御手段とを有することを特徴とする請求項１又は２記載の座標入力装置。
【請求項４】
前記制御手段は、前記検出手段により前記操作面に前記シート材が検出されないときには、前記操作面の座標を相対的に認識し、前記検出手段により前記操作面に前記シート材が検出されたときには、前記操作面の座標を絶対的に認識するように処理を行うことを特徴とする請求項３記載の座標入力装置。
【請求項５】
前記座標情報を無線送信する無線送信手段を有することを特徴とする請求項１乃至４のいずれか一項記載の座標入力装置。
【請求項６】
外部装置に接続され、前記無線送信手段から無線送信された前記座標情報を受信し、受信した前記座標情報を該外部装置に供給する無線受信手段を有することを特徴とする請求項５記載の座標入力装置。
【請求項７】
前記座標検出手段は、第１の抵抗膜が形成された第１のフィルム材と、前記第２の抵抗膜が形成され、該第２の抵抗膜が前記第１の抵抗膜に対向するように前記第１のフィルム材に対向して配置された第２のフィルム材と、前記第１の抵抗膜と前記第２の抵抗膜との接触点の電位を検出する検出手段とを有することを特徴とする請求項１乃至６のいずれか一項記載の座標入力装置。
【請求項８】
操作面に接触し、該操作面上の接触位置に応じた座標位置を検出する座標検出手段を有し、座標位置が検出された情報を処理手段に供給する座標入力装置において、
前記操作面上に保持されたシート材の有無及び種類を検出する検出手段と、
前記検出手段に応じた処理機能を切り替える切替情報を生成する切替情報生成手段と、
前記座標検出手段を収納し、前記操作面を表出させる第１開口部を含む筐体と、
前記第１開口部に対応する第２開口部を含む矩形環状に構成されるとともに、開放位置と閉成位置との間で前記筐体に対して回動自在に軸支され、閉成位置において前記筐体との間でシート材を前記操作面上に保持する保持手段と
を有し、
前記筐体は、前記第１開口部に面取り部を含み、
前記保持手段は、前記第２開口部に形成され、前記面取り部に対応する傾斜を有する傾斜突出部を含み、
前記傾斜突出部は、前記保持手段が閉成位置にあるときに、前記シート材を前記操作面側に案内することを特徴とする座標入力装置。
【請求項９】
前記傾斜突出部は、前記保持手段が閉成位置で前記シート材を保持する際に、前記シート材と前記操作面との間に所定の間隙を保持するように構成される、請求項８に記載の座標入力装置。
【請求項１０】
前記検出手段は、複数の検出部から構成され、前記検出部の検出状態の組合せにより前記シート材の有無及び種類を検出することを特徴とする請求項８記載の座標入力装置。
【請求項１１】
前記シート材が保持された前記操作面上に前記シート材を介して接触することにより得られる座標情報から前記検出手段に応じた情報を生成する座標情報生成手段を有することを特徴とする請求項８乃至１０のいずれか一項記載の座標入力装置。
【請求項１２】
複数の前記検出部は、前記シート材の形成に応じてオン又はオフする複数のスイッチから構成されることを特徴とする請求項１０又は１１記載の座標入力装置。
【請求項１３】
複数の前記検出部は、前記シート材の形成に応じた検出信号を出力する複数のフォトカプラから構成されることを特徴とする請求項１０又は１１記載の座標入力装置。
【請求項１４】
前記検出手段は、前記シート材の形成に応じて予め設定されたバーコードパターンを読み取るバーコード読取手段を有することを特徴とする請求項８記載の座標入力装置。
【請求項１５】
前記シート材は、前記処理機能に対応する操作記号が設けられ、前記座標情報生成手段が前記シート材を前記操作記号と前記操作面上の座標位置とが対応するように位置決めする位置決め手段を有することを特徴とする請求項１１乃至１４いずれか記載の座標入力装置。
【請求項１６】
前記座標情報生成手段は、前記シート材が押下された位置に対応する前記操作面の座標を絶対的に認識して前記座標情報の処理を行うことを特徴とする請求項１１乃至１５いずれか記載の座標入力装置。
【請求項１７】
前記シート材を格納する格納部を有することを特徴とする請求項１乃至１６いずれか記載の座標入力装置。
【発明の詳細な説明】
【０００１】
【発明の属する技術分野】
本発明は座標入力装置に係り、特に、平面タイプの座標入力装置に関する。
平面タイプの座標入力装置における座標検出方式としては電磁誘導方式、静電結合方式、抵抗膜方式等がある。このうち、抵抗膜方式の座標入力装置は、構成が簡単、安価、薄型化が可能である。また、抵抗膜方式の座標入力装置は、２枚の抵抗膜をわずかな間隙を設けた状態で対向させ、抵抗膜の周縁部に電圧を印加した構成とされている。
【０００２】
座標入力時には、抵抗膜を押圧し、２枚の抵抗膜を接触させる。２枚の抵抗膜を接触させることにより、抵抗膜に印加された電圧が分圧される。抵抗膜による分圧電圧を検出することにより座標位置を検出する。このように、抵抗膜方式の座標入力装置では、抵抗膜に接触すれさえすればよいので、如何なるペンで入力可能となる。
【０００３】
以上のような特徴から平面タイプの座標入力装置としては抵抗膜方式の座標検出方式を有する座標入力装置が主流になりつつある。
一方、近年、ネットワークの発達やカード会社、電子マネーなどによりコンピュータのアクセスに対するセキュリティ技術に対する要望が増大している。コンピュータのアクセスに対するセキュリティ技術としては、手書きによるサイン、指紋、声紋などを利用した個人認証システムが重要な技術として注目を集めている。
【０００４】
ここで、手書きによるサインを利用した個人認証システムを実現するためのデバイスとして抵抗膜方式を用いた平面タイプの座標入力装置が注目されている。抵抗膜方式を用いた平面タイプの座標入力装置は、材質を問わずどんなペンでも入力可能であるという特徴から、簡単にペンによる手書き文字や図形を認識することができる。よって、手書きによるサインを利用した個人認証システムでは、操作領域上においてペン筆記されたサインを予め登録されたサインとを照合することにより、個人の認証が可能となる。サインなどを入力する場合、入力する文字や図形を筆記するときに、筆記された文字や図形の筆跡が表示されることが望ましい。
【０００５】
【従来の技術】
従来の平面タイプの座標入力装置では、操作面が不透明の表面シートで覆われており、その表面シート上を指先、もしくはプラスチックや金属製のペン先を持つペンでなぞることにより入力を行う。
【０００６】
【発明が解決しようとする課題】
しかるに、従来の座標入力装置では、筆跡が残らないので入力した文字や図形を確認することができない等の問題点があった。
また、一般に使われているボールペン、鉛筆等の筆記具を使用して入力を行うと、操作面に傷を付けたり、操作面を汚したりするなどの問題点があった。
【０００７】
また、座標入力装置を用いてサインを行った場合に、伝票などに残らないため、別にサインを行う必要があるなどの問題点があった。
また、アプリケーションの切り替えと共に座標入力装置の切り替えを行うと、入力するためにアプリケーション毎に対応した入力デバイスが必要となる等の問題点があった。
【０００８】
本発明は上記の点に鑑みてなされたもので、文字や図形などを筆跡を残しつつ入力可能であり、また、複数の入力機能を有するような座標入力装置を提供することを目的とする。
【０００９】
【課題を解決するための手段】
本発明は、操作面に接触し、該操作面上の接触位置に応じた座標位置を検出する座標検出手段と、前記座標検出手段を収納し、前記操作面を表出させる第１開口部を含む筐体と、前記第１開口部に対応する第２開口部を含む矩形環状に構成されるとともに、開放位置と閉成位置との間で前記筐体に対して回動自在に軸支され、閉成位置において前記筐体との間でシート材を前記操作面上に保持する保持手段とを有し、前記筐体は、前記第１開口部に面取り部を含み、前記保持手段は、前記第２開口部に形成され、前記面取り部に対応する傾斜を有する傾斜突出部を含み、前記傾斜突出部は、前記保持手段が閉成位置にあるときに、前記シート材を前記操作面側に案内する。本発明によれば、保持手段によりシート材を座標検出手段の操作面上に保持して、シート材の上面から座標を入力できる。このとき、シート材は保持手段により操作面に対して所定の位置に保持されるので、筆記具により入力を行い、シート材上に筆跡を残しつつ、筆跡に応じた座標入力を行える。
【００１０】
また、本発明によれば、シート材を操作面の周囲で保持することにより、シート材をしわ等を発生させることなく操作面上に保持できる。本発明は、保持手段を操作面の周囲で操作面に平行に配置された軸を中心に回動自在に軸支し、軸を中心に回動させることによりシート材を保持、解放可能としてなる。
【００１１】
本発明は、操作面を保持手段によりシート材が保持されたときに、シート材と接触しない位置に配置してなる。本発明によれば、操作面を保持手段によりシート材が保持されたときに、シート材と接触しない位置に配置することにより、シート材が操作面に接触して座標入力が行われるような事態を回避できる。
【００１２】
本発明は、シート材が操作面に載置されたか否かを検出し、その検出結果に応じて操作面の接触により得られる座標情報の処理を切り換えるようにしてなる。また、本発明は、操作面にシート材が検出されないときには、操作面の座標を相対的に認識し、検出手段により操作面にシート材が検出されたときには、操作面の座標を絶対的に認識するように処理を行うようにしてなる。
【００１３】
本発明によれば、シート材が操作面に載置されないときには、通常のポインティングデバイスとして用いるものと判断して、操作位置を相対的に座標位置として認識するようにし、シート材が操作面に載置されているときには、手書き入力などを行うものと判断して、操作位置を絶対的に座標位置として認識するようにすることにより、自動的に入力に対応した処理の切換が行える。
【００１４】
本発明は、座標情報を無線送信するようにしてなる。
また、本発明は、外部装置に接続され、無線送信された座標情報を受信し、受信した座標情報を外部装置に供給するようにしてなる。
本発明によれば、装置を外部装置に接続ケーブルなどを用いて接続する必要がなく、使い勝手が良好となる。
【００１５】
本発明は、座標検出手段を、第１の抵抗膜が形成された第１のフィルム材と、第２の抵抗膜が形成され、第２の抵抗膜が第１の抵抗膜に対向するように第１のフィルム材に対向して配置された第２のフィルム材と、第１の抵抗膜と第２の抵抗膜との接触点の電位を検出する検出手段とからなる、いわゆる、抵抗膜方式の座標入力装置としてなる。
【００１６】
本発明によれば、抵抗膜方式の座標入力装置であるので、入力に特別な器具を必要としない。
また、本発明は、操作面に接触し、該操作面上の接触位置に応じた座標位置が検出された情報を処理手段に供給する座標入力装置において、前記操作面上に保持されたシート材の有無及び種類を検出する検出手段と、前記検出手段に応じた処理機能を切り替える切替情報を生成する切替情報生成手段を有してなる。
【００１７】
本発明によれば、操作面上に保持されたシート材の有無及び種類を検出し、シート材が保持されている場合に、そのシート材に応じた処理機能が切り替えられることにより、多種の入力を行うことができ、機能性を向上させることができる。
本発明は、前記検出手段は、複数の検出部から構成され、前記検出部検出状態の組合せにより前記シート材の有無及び種類を検出することよりなる。
【００１８】
本発明によれば、複数の検出部の検出状態の組合せからシート材の有無及び種類を検出することにより、多くの機能に対応する複数のシート材を利用することができる。従って、多くの機能が利用可能となる。
本発明は、前記シート材が保持された前記操作面上に前記シート材を介して接触することにより得られる座標情報から前記検出手段に応じた情報を生成する座標情報生成手段を有してなる。
【００１９】
本発明によれば、操作面上にシート材を介して接触することにより得られる座標情報からシート材の検出結果に応じた情報を生成することにより、座標情報を用いて処理機能における処理を行うことができる。
本発明は、複数の前記検出部が前記シート材の形成に応じてオン又はオフする複数のスイッチから構成されることよりなる。
【００２０】
本発明によれば、複数の検出部がシート材の形成に応じてオン又はオフする複数のスイッチから構成されることにより、多種のシート材を判別し、利用することができる。
本発明は、複数の前記検出部が前記シート材の形成に応じた検出信号を出力する複数のフォトカプラから構成されることよりなる。
【００２１】
本発明によれば、複数の検出部がシート材の形成に応じた検出信号を出力する複数のフォトカプラから構成されることにより、多種のシート材を判別し、利用することができる。
本発明は、前記検出手段が前記シート材の形成に応じて予め設定されたバーコードパターンを読み取るバーコード読取手段を有してなる。
【００２２】
本発明によれば、検出手段がシート材の形成に応じて予め設定されたバーコードパターンを読み取ることにより、多種のシート材を判別し、利用することができる。
本発明は、前記シート材が前記処理機能に対応する操作記号が設けられ、前記座標情報生成手段が前記シート材を前記操作記号と前記操作面上の座標位置とが対応するように位置決めする位置決め手段を有してなる。
【００２３】
本発明によれば、処理機能に対応する操作記号が設けられたシート材を操作記号と操作面上の座標位置とが対応するように配置することにより、処理機能に対応した座標入力を行うことができると共に、正確な座標情報を得ることができる。
本発明は、前記座標情報生成手段が前記シート材が押下された位置に対応する前記操作面の座標を絶対的に認識して前記座標情報の処理を行うことによりなる。
【００２４】
本発明によれば、シート材が押下された位置に対応する操作面の座標を絶対的に認識して座標情報の処理を行うことにより、処理機能に対応した処理を行うことができる。
本発明は、前記シート材を格納する格納部を有することによりなる。
本発明によれば、格納部を有することにより、１つ又は複数のシート材を格納することができ、機能性を向上させることができる。
【００２６】
【発明の実施の形態】
図１、図２は本発明の一実施例の外観図、図３は本発明の一実施例の分解斜視図を示す。
本実施例の座標入力装置１は、コンピュータに接続され、コンピュータの座標入力装置として用いられる。本実施例の座標入力装置１は、図３に示すようにケース２、回路基板３，４、カバー５、接続ケーブル６、組み付けネジ７から構成される。
【００２７】
ケース２は、カバー５とともに回路基板３，４を収納する。回路基板３は、一面に座標入力部８が搭載され、他面に信号処理回路が搭載される。座標入力部８は、抵抗膜方式により座標検知を行う。座標入力部８で検知された座標入力信号は、反対面に搭載された信号処理回路に供給される。信号処理回路は、座標入力部８で検知された信号を座標情報に変換する。
【００２８】
回路基板３には回路基板４が接続ケーブル９を介して接続される。回路基板４には、右スイッチ１０及び左スイッチ１１が搭載されている。回路基板４の右スイッチ１０及び左スイッチ１１の操作は、接続ケーブル９を介して回路基板４の信号処理回路に供給される。信号処理回路は、右スイッチ１０及び左スイッチ１１の操作に応じてボタン操作情報を生成する。
【００２９】
回路基板４には接続ケーブル６の一端が接続される。接続ケーブル６の他端は、例えば、入力デバイス接続用のＰＳ／２ポート用コネクタ１２とされており、コンピュータのＰＳ／２ポートに接続される。回路基板４で生成された座標情報及び操作情報は接続ケーブル６を介してコンピュータに供給される。コンピュータでは、座標入力装置１から供給された座標情報及び操作情報に応じて各種処理を行う。
【００３０】
カバー５は、カバー本体１３、右操作ボタン１４、左操作ボタン１５、開閉部１６から構成され、ケース２の回路基板３，４を収納する部分をカバーする。カバー本体１３は、ケース２を介して組み付けネジ７が螺入され、ケース２に固定される。ケース２にカバー本体１３を固定することにより回路基板３，４がケース２に保持される。カバー本体１３には、開口部１７が形成されている。開口部１７は、カバー本体１３をケース２に組み付けた状態で、回路基板３上に搭載された座標入力部８の操作面８ａが表出する。また、このとき、カバー本体１３の表面と座標入力部８の操作面８ａとの間には高さｄ０の段差が生じるように構成されている。
【００３１】
また、右操作ボタン１４、左操作ボタン１５は、カバー本体１３に矢印Ａ方向に微動可能に保持される。右操作ボタン１４はカバー本体１３をケース２に組み付けたときに、回路基板４に搭載された右スイッチ１０の上部に配置され、左操作ボタン１５はカバー本体１３をケース２に組み付けたときに、回路基板４に搭載された左スイッチ１１に上部に配置される。
【００３２】
カバー５をケース２に組み付けた状態で、右操作ボタン１４を矢印Ａ方向に操作することにより、右スイッチ１０が作動する。また、カバー５をケース２に組み付けた状態で、左操作ボタン１５を矢印Ａ方向に操作することにより、左スイッチ１１が作動する。
開閉部１６は、カバー本体１３に軸１８を中心に矢印Ｂ方向に回動可能に組み付けられる。また、開閉部１６は、開口部１９が形成されている。開口部１９は、開閉部１６を矢印Ｂ１方向に回動させ、図１に示すように閉じた状態のときに、カバー本体１３の開口部１７と一致するように形成されている。開閉部１６を閉じた状態でも図１に示すように開口部１７，１９を通して座標入力部８の操作面８ａが表出される。
【００３３】
なお、開閉部１６の両側部のカバー本体１３に対向する面には爪部２０が形成されている。カバー本体１３の開閉部１６の爪部２０に対向する部分には、爪部２０と係合する係合部２１が形成されている。開閉部１６を矢印Ｂ１方向に回動させ、爪部２０を係合部２１に係合させることにより、開閉部１６を閉じた状態でカバー本体１３に保持される。
【００３４】
開閉部１６の軸１８に対向する辺には爪部２０と係合部２１との係合を容易に解除できるようにするために、凸部２２が形成されている。操作者は凸部２２に指を引っかけて開閉部１６を矢印Ｂ２方向に回動させることにより開閉部１６を開放することができる。
次に、回路基板４に形成された回路の構成について説明する。
【００３５】
図４は本発明の第１実施例の回路基板のブロック構成図を示す。
図４に示すように回路基板４に搭載された座標入力部８は、カーボン抵抗膜２３，２４が形成されたＰＥＴフィルム２５，２６をカーボン抵抗膜２３，２４が対向するように配置してなる。一方のＰＥＴフィルム２５には、Ｘ方向に平行に電極２７が形成されている。また、他方のＰＥＴフィルム２６には、Ｙ方向に平行に電極２８が形成されている。
【００３６】
ＰＥＴフィルム２５とＰＥＴフィルム２６との間にはドットスペーサ２９が挿入され、通常の状態では、ＰＥＴフィルム２５とＰＥＴフィルム２６とは接触しないように構成されている。
ここで、座標入力部８の動作について詳細に説明する。
図５は本発明の第１実施例の動作説明図を示す。図５（Ａ）は非操作状態、図５（Ｂ）は座標入力状態を示す。なお、同図中、図４と同一構成部分には同一符号を付す。
【００３７】
非操作状態では、図５（Ａ）に示すようにＰＥＴフィルム２５とＰＥＴフィルム２６とは略平行な状態にあり、カーボン抵抗膜２３，２４は非接触状態となる。
また、図５（Ｂ）に示すようにペン３０により操作面８ａが矢印Ｃ方向に押圧されると、ＰＥＴフィルム２５が矢印Ｃ方向に歪曲してＰＥＴフィルム２５のカーボン抵抗膜２３とＰＥＴフィルム２６のカーボン抵抗膜２４とが接触する。カーボン抵抗膜２３とカーボン抵抗膜２４との接触位置に応じて電極２７，２８間の電圧分圧比が変化する。電極２７，２８間の電圧分圧比を測定することにより座標位置が検出可能となる。このとき、図５（Ｂ）に示すようにドットスペーサ２９により接触間隔を保持している。
【００３８】
本実施例の座標入力装置では、抵抗Ｒ１とトランジスタＱ１からなる接触／非接触を検知する回路を具備し、トランジスタＱ１，Ｑ５及び電極２７，２８を介して抵抗膜２３，２４間に電圧を印加するように構成している。接触又は非接触の検知に際しては、制御部３２がトランジスタＱ１，Ｑ５をオン，トランジスタＱ１〜Ｑ３をオフして、抵抗膜２３，２４間に電圧を印加する。このとき、電極２８を経由して出力される電圧は駆動電圧Ｖccが抵抗Ｒ１と抵抗膜２３，２４間の接触抵抗により分圧された電圧となる。この電圧が接触／非接触を判別する閾値よりも大きければ非接触、小さければ接触と判定する。
【００３９】
次に、接触判定された場合の座標値の検出方法について説明する。
制御部３２は、まず、トランジスタＱ１〜Ｑ３をオフ、トランジスタＱ４，Ｑ５をオンにし、電極２８に電圧が印加されるようにする。電極２８に印加された電圧は抵抗膜の接触位置で分圧され、電極２７からＸ座標を示す電圧として出力される。検出部３１は、電極２７から出力された電圧をＡ／Ｄ変換してＸ座標に応じた情報として制御部３２に供給する。制御部３２は、このとき検出部３１から供給された情報に応じてＸ座標情報を生成する。
【００４０】
次に、制御部３２は、トランジスタＱ１，Ｑ４，Ｑ５をオフし、トランジスタＱ２，Ｑ３をオンし、電極２７に電圧が印加されるようにする。電圧は、抵抗膜の接触位置で分圧され、電極２８からＹ座標を示す電圧として出力される。検出部３１は、電極２８から出力される電圧をＡ／Ｄ変換してＹ座標に応じた情報として制御部３２に供給する。制御部３２は、このとき検出部３１から供給された情報に応じてＹ座標情報を生成する。
【００４１】
また、制御部３２には、回路基板４に搭載された右スイッチ１０及び左スイッチ１１が接続されており、右スイッチ１０及び左スイッチ１１のオン・オフの状態を検出し、操作情報を作成する。制御部３２で生成された座標情報及び操作情報は接続ケーブル６を介してコンピュータに送出される。
次に、座標入力装置１の使用形態の一例について説明する。
【００４２】
図６は本発明の第１実施例の通常の使用形態を示す図を示す。
図６に示すように、通常のポインティングデバイスとして用いる場合には、開閉部１６を矢印Ｂ１方向に閉じて指３３を操作面８ａに接触させ、矢印Ｘ，Ｙ方向に動かすことにより、座標が入力され、必要に応じて右操作ボタン１４又は左操作ボタン１５を操作する。
【００４３】
以上のように通常の平面型のポインティングデバイスと同様の操作を行うことができる。
次に、ペンを用いて手書き入力を行う場合の使用形態について説明する。
図７乃至図９は本発明の第１実施例の手書き入力時の動作説明図を示す。
ペン入力を行う場合には、まず、図７に示すように開閉部１６を矢印Ｂ２方向に回動させ、操作面８ａ上に記録用紙３４を載置する。図７に示すように記録用紙３４を操作面８ａ上に載置した後、開閉部１６を矢印Ｂ１方向に回動させ、開閉部１６と操作面８ａとで記録用紙３４を狭持し、爪部２０を係合部２１に係合させる。
【００４４】
開閉部１６を矢印Ｂ１方向に回動させ、開閉部１６と操作面８ａとで記録用紙３４を狭持し、爪部２０を係合部２１に係合させることにより、図８，図９（Ａ）に示すように記録用紙３４が操作面８ａ上で引き延ばされ、記録用紙３４に文字などを記載しやすくなる。また、このとき、操作面８ａと記録用紙３４の下面との間に高さｄ０程度の間隙が生じ、記録用紙３４が操作面８ａに接触することがないように構成されている。このため、入力操作を行っていないにもかかわらず、記録用紙３４が操作面８ａに接触して座標入力が行われるようなことはない。
【００４５】
上記のように開閉部１６が閉じた状態で、通常に筆記具３５により記録用紙３４に文字などを書き込むことにより図８に示すように記録用紙３４に文字が記載されるとともに、図９（Ｂ）に示すように操作面８ａが筆記具３５によりなぞられ、座標入力部８により筆記具３５によりなぞられた文字の座標が順次に入力され、文字に応じた座標入力が行われる。
【００４６】
ここで、例えば、記録用紙３４として伝票を開閉部１６と操作面８ａとで狭持する。このとき、開口部１７，１９の部分に、伝票のサインを記入欄が位置するように伝票を配置する。この状態で筆記具３５によりサイン欄にサインを行うことにより、伝票にサインが記録されるとともに、コンピュータに座標データとしてサインデータが供給される。
【００４７】
ここで、座標入力装置１が接続されたコンピュータにＩＣカードの読み取り機能を設けておき、ＩＣカードに本人を認証するためのサインの情報を記憶しておくことにより、上記の座標入力装置１により入力されたサインとＩＣカードに予め記憶しておきたサイン情報とを比較し、ＩＣカードの所持者本人か否かの認証を行うようにすることもできる。
【００４８】
このとき、本実施例の座標入力装置１では、通常は通常の平面型のポインティングデバイスとして用いることができ、サインの認証を行う場合には、伝票などの記録用紙３４を開閉部１６と操作面８ａとの間に狭持してサインを記載することによりサインを確認しながらサインの入力、認証を行うことができる。
なお、本実施例の座標入力装置１は、いわゆる、抵抗膜方式であるので、記録用紙３４が複数枚であっても、抵抗膜が接触できれば、確実に座標入力を行うことができる。
【００４９】
なお、本実施例では、通常の指による入力と、ペンを用いた入力とで同一の感度で座標検出を行っているが、記録用紙の有無を検出して、座標の検出モードを切り替えるようにしてもよい。
図１０は本発明の第２実施例の斜視図を示す。同図中、図１乃至３と同一構成部分には同一符号を付し、その説明は省略する。
【００５０】
本実施例はカバー本体１３の開閉部１６との対向面にマイクロスイッチ３６を設け、開閉部１６のマイクロスイッチ３６との対向部に凹部３７を設けた構成としてなる。マイクロスイッチ３６は、開閉部１６と操作面８ａとの間に記録用紙３４が存在しない状態で開閉部１６が閉じた状態ではオフし、開閉部１６と操作面８ａとの間に記録用紙３４が存在する状態で開閉部１６が閉じた状態ではオンする。
【００５１】
図１１は本発明の第２実施例のマイクロスイッチの動作説明図を示す。図１１（Ａ）は開閉部１６と操作面８ａとの間に記録用紙３４が存在しないときのマイクロスイッチ３６の状態、図１１（Ｂ）は開閉部１６と操作面８ａとの間に記録用紙３４が存在するときのマイクロスイッチ３６の状態を示す。
図１１（Ａ）に示すように開閉部１６と操作面８ａとの間に記録用紙３４が存在しない状態で、開閉部１６を閉じたときには、マイクロスイッチ３６の接点がマイクロスイッチ３６に対向する位置に形成された凹部３７に入り込み押圧されることがないので、マイクロスイッチ３６はオフされる。
【００５２】
また、図１１（Ｂ）に示すように開閉部１６と操作面８ａとの間に記録用紙３４が存在する状態では、開閉部１６を閉じたときには、記録用紙３４により開閉部１６のマイクロスイッチ３６に対向する位置に配置された凹部３７が閉蓋され、記録用紙３４によりマイクロスイッチ３６の接点が押圧され、マイクロスイッチ３６はオンされる。マイクロスイッチ３６のオン・オフの状態は、回路基板３に伝達される。
【００５３】
図１２は本発明の第２実施例の回路基板のブロック構成図を示す。同図中、図４と同一構成部分には同一符号を付し、その説明は省略する。
マイクロスイッチ３６は制御部３８に接続される。制御部３８は、マイクロスイッチ３６のオン・オフに応じて検出モードを切り換える。例えば、マイクロスイッチ３６がオフ、すなわち、記録用紙３４が操作面８ａ上に存在しないときには、座標位置を相対位置で表す相対値モードで処理し、マウスなどの通常のポインティングデバイスとして用い、マイクロスイッチ３６がオン、すなわち、記録用紙が３４が操作面８ａ上に存在するときには、座標位置を絶対位置として表す絶対値モードで処理し、文字、図形などを入力可能とする。
【００５４】
なお、本実施例では、記録用紙３４の検出にマイクロスイッチ３６を用いたがこれに限られるものではなく、要は操作面８ａ上に記録用紙３４が載置されたことを認識できればよい。このため、他に例えば、フォトカプラを用いることもできる。
図１３は本発明の第２実施例の変形例の斜視図を示す。同図中、図１０と同一構成部分には同一符号を付し、その説明は省略する。
【００５５】
本変形例は、マイクロスイッチ３６に代えて、フォトカプラ３９を操作面８ａと同一面上に配置し、開閉部１６のフォトカプラ３９に対向する位置に貫通孔４０を設けてなる。
図１４は本発明の第２実施例の変形例の動作説明図を示す。図１４（Ａ）は操作面８ａに記録用紙３４が載置されていない場合、図１４（Ｂ）は操作面８ａに記録用紙３４が載置された場合である。
【００５６】
フォトカプラ３９は、発光素子３９ａ及び受光素子３９ｂから構成されている。発光素子３９ａは光を発光する。受光素子３９ｂは発光素子３９ａから発光された光を受光し、オン・オフする。開閉部１６の貫通孔４０はフォトカプラ３９に対向して設けられている。
操作面８ａに記録用紙３４が載置されていない場合には、図１４（Ａ）に示すように発光素子３９ａで発光された光Ｌは、開閉部１６の貫通孔４０を貫通して外部に放射される。このため、受光素子３９ｂでは、発光素子３９ａから発光された光を受光することはない。すなわち、受光素子３９ｂは、オフ状態とされる。
【００５７】
また、操作面８ａに記録用紙３４が載置されている場合には、図１４（Ｂ）に示すように発光素子３９ａで発光された光Ｌは、記録用紙３４に照射され、記録用紙３４で反射され、受光素子３９ｂに入射する。受光素子３９ｂは記録用紙３４での反射光を受光して、オン状態とされる。
フォトカプラ３９は制御部３８に接続されていて、受光素子３９ｂのオン・オフに応じて検出モードを相対値モード又は絶対値モードに切り換える。例えば、受光素子３９ｂがオフ、すなわち、記録用紙３４が操作面８ａ上に存在しないときには、座標位置を相対位置で表す相対値モードで処理し、マウスなどの通常のポインティングデバイスとして用い、受光素子３９ｂがオン、すなわち、記録用紙が３４が操作面８ａ上に存在するときには、座標位置を絶対位置として表す絶対値モードで処理し、文字、図形などを入力可能とする。
【００５８】
なお、第１及び第２実施例では、接続ケーブル６を介してコンピュータへの座標情報及び操作情報の送信を行っているが、赤外線通信を用いて座標情報及び操作情報の送信を行い、ワイヤレス化することもできる。
図１５、図１６は本発明の第３実施例の外観図、図１７は本発明の第３実施例の分解斜視図を示す。図１５〜図１７において、図１〜図３と同一構成部分には同一符号を付し、その説明は省略する。
【００５９】
本実施例の座標入力装置４１は、装置本体に赤外線出射部４２を有し、赤外線受光装置４３を介してコンピュータに接続される。赤外線出射部４２は、回路基板３に接続される。座標入力部８及び左右スイッチ１０，１１の操作により得られる座標情報及び操作情報は回路基板３で所定の信号に変調された後、赤外線出射部４２に供給される。赤外線出射部４２は、回路基板３から供給された変調信号に応じた赤外線光を外部に出射する。
【００６０】
図１８は本発明の第３実施例の回路基板のブロック構成図を示す。同図中、図４と同一構成部分には同一符号を付し、その説明は省略する。
本実施例では、回路基板３に赤外線用インタフェース回路４６が追加される。赤外線用インタフェース回路４６は、座標入力部８の操作及び左右操作ボタン１４，１５により制御部６で得られる座標情報及び操作情報を赤外線光として出射するのに適した所定の信号に変調する。赤外線用インタフェース回路４６で変調された信号は、赤外線出射部４２に供給される。
【００６１】
赤外線出射部４２は、赤外線用インタフェース回路４６で変調された信号によりＬＥＤなどを駆動して、赤外線用インタフェース回路４６で変調された信号に応じた赤外線光を出射する。
赤外線受光装置４３は、赤外線出射部４２から出射された赤外線光を受光する。赤外線受光装置４３は、受光した赤外線光を電気信号に変換し、変換した信号を復調して座標情報及び操作情報を復元する。
【００６２】
復元された座標情報及び操作情報は、接続ケーブル４４に送出される。接続ケーブル４４は、一端が赤外線受光装置４３に接続され、他端はＰＳ／２ポート用コネクタ４５が接続されている。ＰＳ／２ポート用コネクタ４５はコンピュータのＰＳ／２ポートに接続される。赤外線受光装置４３で復元された座標情報及び操作情報は、接続ケーブル４４を介してコンピュータに供給される。
【００６３】
以上により座標入力装置４１をワイヤレス化できる。
なお、第１〜第３実施例では、コンピュータとのインタフェースとしてＰＳ／２ポートを例にとって説明したが、コンピュータへのインタフェースはこれに限られるものではなく、ＵＳＢなど他のインタフェースポートであってもよい。
また、上記第１乃至第３の実施例では、座標入力部に抵抗膜方式を用いたが、座標入力方式は抵抗膜方式に限られるものではなく、例えば、静電容量タイプや、電磁誘導タイプなどの他の方式でもよく、要は、操作面が平面形状であれば適用可能である。
【００６４】
また、図１０に示したようなマイクロスイッチは１つに限られるものではなく、複数設置される場合も適用可能である。これらの複数のマイクロスイッチを利用し、多種のアプリケーション６０に対応できる入力装置とする第４実施例について以下に詳述する。
図１９は、本発明の第４実施例における使用例を示す図である。
【００６５】
図１９において、本発明の座標入力装置５０はパーソナルコンピュータ（ＰＣ）５１などに接続ケーブル６を介して接続される。
例えば、座標入力装置５０の座標入力部５３の所定位置が押下されると、その所定位置に対応するアプリケーション６０での位置が表示される。即ち、ＰＣ５１の表示装置５２上に表示される。このように、座標入力装置５０に入力され、表示装置５２に表示された座標情報は、アプリケーション６０上で対応する値に変換されて処理される。
【００６６】
以下に、上記の本発明の使用例をブロック構成図を用いて説明する。
図２０は本発明の第４実施例のブロック構成図を示している。
図２０において、座標入力装置５０は着脱可能なシート５３が保持されており、この座標入力装置からＰＣ５１へ座標情報、シート情報等が送られる。
座標入力装置５０は、マイクロスイッチ６１，６３，６５とパネル５８と右スイッチ１０、左スイッチ１１とＭＣＵ（マイクロコントロールユニット）５４で構成される。
【００６７】
マイクロスイッチ６１，６３，６５は、シート５３の有無を判別し、また、シート５３の形状によりオン・オフ状態が決定される。パネル５８は、シート５３の上面から押下された位置を検出するための操作面である。また、押下された位置等が右スイッチ１０、左スイッチ１１の操作により決定される。
ＭＣＵ５４はマイクロスイッチ６１，６３，６５とパネル５８と右スイッチ１０、左スイッチ１１から入力された情報をもとに座標入力装置５０を制御する。
【００６８】
座標入力装置５０で制御された座標情報及びシート情報等がＰＣ５１に送られた場合、先ず、これらの情報はＰＣ５１のドライバーソフト５９に送られる。ドライバーソフト５９では、入力されたシート情報によりアプリケーション６０が起動され、入力された座標値がアプリケーション６０に対応する数値に変換される。数値に変換されたデ−タはアプリケーション６０に出力され、そのアプリケーション６０上で処理が行われる。
【００６９】
このように、本発明の座標入力装置がＰＣ等に接続され、着脱可能なシート５３を用いることにより、多種のアプリケーション６０に対応できる座標入力装置を使用することができる。
以下に、本発明の第４実施例である座標入力装置の詳細を説明する。
図２１は、本発明の第４実施例の斜視図を示している。
【００７０】
同図中、図２と同一構成部分には同一符号を付し、その説明は省略する。
図２１において、座標入力装置５０はシート５３を保持するため、シート５３が矢印Ｄ１方向へ座標入力部８上に配置される。シート５３を設置する際に、シート５３上の端部１００を開閉部１６の端面１０１に合わせると共に、切込部２００を係合部２１に合わせてシートを所定の位置に設置する。よって、シート５３を所望の情報を入力可能にするような最適な位置に設置することができる。
【００７１】
座標入力装置５０は、カバー本体１３の開閉部１６にマイクロスイッチ６１，６３，６５と凹部６２，６４，６６が設けられている。マイクロスイッチ６１，６３，６５は凹部６２，６４，６６と係合される。
シート５３は、穴である係着部７０，７１が形成されている。シート５３が座標入力装置５０に保持される場合、シート５３上の係着部７０、７１はマイクロスイッチ６１，６５と係着する。従って、マイクロスイッチ６３のみがシート５３により押圧され、オン状態になる。このように、シート５３が座標入力装置５０に保持されている状態で、マイクロスイッチ６１，６３，６５がそれぞれに対応する凹部６２，６４，６６と係合され、マイクロスイッチ６１，６３，６５のオン・オフ状態が検出される。
【００７２】
よって、シート５３の係着部の位置または個数が、マイクロスイッチ６１，６３，６５を押圧する個数を決定し、マイクロスイッチ６１，６３，６５のオン・オフ状態によりあらゆる組合せを生成することができる。
即ち、シート５３の種類毎に係着部の位置または個数を変化させることで、マイクロスイッチ６１，６３，６５でシート５３の種類を判別することができる。
【００７３】
また、上記係着部７０，７１は穴に限定されるものではなく、切り込み等に形成することも可能である。
次に、本発明の座標入力装置５０の内部構成について説明する。
図２２は、本発明の第４実施例である回路基板のブロック構成図を示している。同図中、図４と同一構成部分には同一符号を付し、その説明は省略する。
【００７４】
図２２において、マイクロスイッチ６１，６３，６５は制御部７２に接続される。制御部７２は、マイクロスイッチ６１，６３，６５のオン・オフ状態に応じてアプリケーション６０を切り替える。例えば、マイクロスイッチ６１のみがオン状態である場合、このマイクロスイッチ６３，６５がオフ状態、マイクロスイッチ６１がオン状態で設定されたアプリケーション６０が操作可能なように処理が行われる。
【００７５】
即ち、座標入力装置５０に保持されるシートに対応したアプリケーション６０に切り替えるための情報をＰＣ５１へ送ることにより、そのアプリケーション６０での操作を可能とすることができる。
次に、シート５３が保持された入力可能な状態の座標入力装置について説明する。
【００７６】
図２３は、本発明の第４実施例の斜視図を示している。
同図中、図１と同一構成部分には同一符号を付し、その説明は省略する。
図２３において、シート５３が保持された座標入力装置５０を示している。この座標入力装置５０は、シート５３を保持することでシート５３の上面の操作面８ｂがＰＣのアプリケーション６０の操作画面（図１９参照）に対応する。例えば、操作面８ｂはテンキーの図柄が記載されている。利用者はこの操作面８ｂ上の所定位置の図柄を押下して入力を行う。従って、テンキーの図柄を出力するためには座標位置を絶対位置で表す絶対値モードで処理を行う。このように、絶対値モードで図柄の数値と所定位置の座標が対応することにより、座標入力装置をテンキーのように使用することができる。
【００７７】
また、図２４は本発明の第４実施例の斜視図を示している。
同図中、図１と同一構成部分には同一符号を付し、その説明は省略する。
図２４において、シート７３が保持された座標入力装置５１を示している。この座標入力装置５１は、シート７３を保持することでシート７３の上面の操作面８ｃがＰＣのアプリケーション６０の操作に対応する。例えば、操作面８ｃはカーソル移動用の矢印の図柄が記載されている。利用者はこの操作面８ｃ上の所定位置の図柄を押下して入力を行う。従って、カーソル移動を行うためには座標位置を絶対位置で表す絶対値モードで処理を行う。このように、絶対値モードで図柄の操作と所定位置の座標が対応することにより、座標入力装置をカーソル移動キーのように使用することができる。
【００７８】
次に、図２３に示した座標入力装置５０に保持されているシート５３が操作される時の状態について説明する。
図２５は、本発明の第４実施例の座標入力装置の分解斜視図を示している。
図２５において、シート５３はＰＥＴフィルム２５，２６と操作面８ｂで構成されている。矢印で示すように、操作面８ｂ上の図柄の「１」の位置を押下した場合、図柄の「１」の位置に対応するＰＥＴフィルム２５，２６の領域が接触され、電圧分圧比が変化する。この電圧分圧比が測定されることにより、座標位置が検出可能となる。
【００７９】
以下に、上記に示した座標位置を検出する処理の流れを説明する。
図２６は、本発明の絶対座標値出力に関するフローチャートを示す図である。図２６において、先ず、座標入力装置がシートを保持しているかを調べる（ステップＳ８０）。シートが存在する場合（ステップＳ８０、Ｙｅｓ）、シートの種類（例えばＮｏ．１）を判別する（ステップＳ８２）。判別の方法はシートに設けられた穴による座標入力装置のマイクロスイッチのオン・オフの組合せにより予め設定されたシートの種類を判別することである。シートが存在しない場合（ステップＳ８０、Ｎｏ）は、通常の相対座標で使用されるため、その座標入力値がＰＣ上のドライバーソフトに出力される。シートがＮｏ．１である場合（ステップＳ８２、Ｙｅｓ）、座標入力装置から、ドライバーソフトにＮｏ．１のシート情報を出力する（ステップＳ８３）。ドライバーソフトでＮｏ．１のシート情報に対応した処理が行われた後、絶対座標値が座標入力装置から出力される（ステップＳ８７）。シートがＮｏ．２である場合（ステップＳ８２、Ｙｅｓ）も同様に、座標入力装置から、ドライバーソフトにＮｏ．２のシート情報を出力し（ステップＳ８５）。ドライバーソフトで処理が行われた後、絶対座標値が座標入力装置から出力される（ステップＳ８７）。
【００８０】
このように、シートの種類毎に対応した処理情報がＰＣ上のドライバーソフトに供給され、絶対座標が出力される。
次に、上記ドライバーソフト及びアプリケーション６０での処理について説明する。
図２７は、ＰＣ上での処理に関するフローチャートを示す図である。
【００８１】
図２７において、座標入力装置からシート情報が入力され（ステップＳ９０）、そのシート情報からシートの種類を判別する（ステップＳ９１）。例えばシ  ートの種類がＮｏ．１の場合（ステップＳ９１、Ｙｅｓ）、そのシートの種類に対応するアプリケーション６０がＰＣ上で起動される（ステップＳ９２）。アプリケーション６０が起動した状態で、絶対値が入力された場合（ステップＳ９３、Ｙｅｓ）、以下の処理が行われる。先ず、ドライバーソフトで入力された絶対値がアプリケーション６０に対応する数値に変換される（ステップＳ９４）。その変換された数値がアプリケーション６０に出力され、アプリケーション６０上での処理が行われる（ステップＳ９６）。アプリケーション６０上での処理が終了した場合（ステップＳ９６、Ｙｅｓ）、ＰＣ上での処理が終了する。アプリケーション６０上での処理が終了しない場合（ステップＳ９６、Ｎｏ）、再び、絶対値が入力されたかどうか（ステップＳ９６）を処理する。
【００８２】
また、シートの種類がＮｏ．２の場合（ステップＳ９７、Ｙｅｓ）、そのシートの種類に対応するアプリケーション６０がＰＣ上で起動され（ステップＳ９８）、上記と同様な処理が行われ、アプリケーション６０が終了したかどうか（ステップＳ９）の処理が行われる。他の種類のシートも上記と同様に、シート情報に対応するアプリケーション６０で処理を行うことができる。
【００８３】
次に、本発明の本実施例に関する変形例について説明する。
図２８は、発明の第４実施例の変形例の斜視図である。
同図中、図１と同一構成部分には同一符号を付し、その説明は省略する。
図２８において、座標入力装置７４は、シート７５を格納する格納部７６が設けられている。操作入力部８に保持されないシート７５は、矢印Ｄ２方向へ格納部７６に収納する。この収納部７６は矢印Ｃ方向に開閉を行う開閉板７６２が設けられている。開閉板７６２は爪部７６０が設けられ、係合部７６１と係合する。
【００８４】
このように、座標入力装置７４に設けられた格納部７６が使用しない１つ又は複数のシート７５を格納することにより、座標入力装置の機能性を向上させることができる。
図２９は、発明の第４実施例の変形例の斜視図である。
同図中、図２と同一構成部分には同一符号を付し、その説明は省略する。
【００８５】
図２９において、本変形例の座標入力装置７７はマイクロスイッチに代えて、フォトカプラ７９，８１，８３を配置し、フォトカプラに対向する開閉部１６の位置に貫通孔８０，８２，８４が設けられている。座標入力装置７７はシート７８を保持するため、シート７８が矢印Ｄ１方向へ座標入力部８上に配置される。シート７８は、穴である係着部８５，８６が形成されている。シート７８が座標入力装置７７に保持される場合、シート７８上の係着部８５，８６はフォトカプラ７９，８１と係着する。シート５３が座標入力装置５０に保持されている状態で、フォトカプラ７９，８１，８３がそれぞれに対応する貫通孔８０，８２，８４から外部へ放射された光を受光する。しかし、フォトカプラ８３のみがシート７８により覆われているために、フォトカプラ８３は受光することができない。即ち、フォトカプラ８３はオフ状態とされる。このように、フォトカプラ７９，８１，８３のオン・オフ状態が検出される。
【００８６】
よって、シート７８の係着部の位置または個数が、フォトカプラ７９，８１，８３のオン・オフ状態を決定し、フォトカプラのオン・オフ状態によりあらゆる組合せを生成することができる。
即ち、シート７８の種類毎に係着部の位置または個数を変化させることで、フォトカプラでシート７８の種類を判別することができる。
【００８７】
また、上記係着部８５，８６は穴に限定されるものではなく、切り込み等に形成することも可能である。
図３０は、発明の第４実施例の変形例の斜視図である。
同図中、図２と同一構成部分には同一符号を付し、その説明は省略する。
図３０において、座標入力装置８７は、シート８８を保持するため、シート８８が矢印Ｄ３方向へ座標入力部８上に配置される。座標入力装置８７はカバー本体１３に読み取り装置８９が設けられている。読み取り装置８９はシート８８に設けられたバーコード９０を読み取り、シート８８の種類を判別する。
【００８８】
このように、マイクロスイッチの代わりに読み取り装置とバーコードを用いてもシートの種類を判別することができ、多種のアプリケーション６０の使用を可能とする。
図３１は、本発明の第４実施例の変形例の斜視図である。
同図中、図１と同一構成部分には同一符号を付し、その説明は省略する。
【００８９】
図３１において、座標入力装置９１はシート９２が保持された座標入力装置９１を示している。この座標入力装置９１は、シート９２を保持することでシート９２の上面の操作面８ｄがＰＣのアプリケーション６０の操作に対応する。例えば、操作面８ｄはキーボードの図柄が記載されている。そのため、キーボードの大きさに対応した座標入力装置９１を用い、この操作面８ｄ上の所定位置の図柄を押下して、図柄と所定位置の座標を対応させる。従って、座標入力装置９１をキーボードのように使用することができる。
【００９０】
【発明の効果】
上述の如く、本発明によれば、保持手段によりシート材を座標検出手段の操作面上に保持して、シート材の上面から座標を入力できる。このとき、シート材は保持手段により操作面に対して所定の位置に保持されるので、筆記具により入力を行い、シート材上に筆跡を残しつつ、筆跡に応じた座標入力を行える等の特徴を有する。
【００９１】
本発明によれば、シート材を操作面の周囲で保持することにより、シート材をしわ等を発生させることなく操作面上に保持できる等の特徴を有する。
本発明によれば、保持手段を軸を中心に回動させることによりシート材の保持、解放が行えるため、シート材の保持解放を容易に行える等の特徴を有する。
本発明によれば、操作面を保持手段によりシート材が保持されたときに、シート材と接触しない位置に配置することにより、シート材が操作面に接触して座標入力が行われるような事態を回避できる等の特徴を有する。
【００９２】
本発明によれば、シート材が操作面に載置されないときには、通常のポインティングデバイスとして用いるものと判断して、操作位置を相対的に座標位置として認識するようにし、シート材が操作面に載置されているときには、手書き入力などを行うものと判断して、操作位置を絶対的に座標位置として認識するようにすることにより、自動的に入力に対応した処理の切換が行える等の特徴を有する。
【００９３】
本発明によれば、装置を外部装置に接続ケーブルなどを用いて接続する必要がなく、使い勝手が良好となる等の特徴を有する。
本発明によれば、抵抗膜方式の座標入力装置であるので、入力に特別な器具を必要としない等の特徴を有する。
また、本発明によれば、多種のアプリケーションに対応したシート材を着脱し、シート材の種類によってアプリケーションを切り替え、シート材に記載された操作領域と入力座標を対応させることにより、あらゆる入力操作を可能にし、使用性及び機能性の向上を図ることができる等の特徴を有する。
【図面の簡単な説明】
【図１】本発明の第１実施例の斜視図である。
【図２】本発明の第１実施例の斜視図である。
【図３】本発明の第１実施例の分解斜視図である。
【図４】本発明の第１実施例の回路基板のブロック構成図をである。
【図５】本発明の第１実施例の座標入力部の動作説明図である。
【図６】本発明の第１実施例の通常の使用形態を示す図である。
【図７】本発明の第１実施例の手書き入力時の動作説明図である。
【図８】本発明の第１実施例の手書き入力時の動作説明図である。
【図９】本発明の第１実施例の手書き入力時の動作説明図である。
【図１０】本発明の第２実施例の斜視図である。
【図１１】本発明の第２実施例のマイクロスイッチの動作説明図である。
【図１２】本発明の第２実施例の回路基板のブロック構成図である。
【図１３】本発明の第２実施例の変形例の斜視図である。
【図１４】本発明の第２実施例の変形例の動作説明図である。
【図１５】本発明の第３実施例の斜視図である。
【図１６】本発明の第３実施例の斜視図である。
【図１７】本発明の第３実施例の分解斜視図である。
【図１８】本発明の第３実施例の回路基板のブロック構成図である。
【図１９】本発明の第４実施例の使用例を示す図である。
【図２０】本発明の第４実施例のブロック構成図である。
【図２１】本発明の第４実施例の斜視図である。
【図２２】本発明の第４実施例の回路基板のブロック構成図である。
【図２３】本発明の第４実施例の斜視図である。
【図２４】本発明の第４実施例の斜視図である。
【図２５】本発明の第４実施例の座標入力装置の分解斜視図である。
【図２６】本発明の絶対座標値出力に関するフローチャートを示す図である。
【図２７】本発明のＰＣ上での処理に関するフローチャートを示す図である。
【図２８】発明の第４実施例の変形例の斜視図である。
【図２９】発明の第４実施例の変形例の斜視図である。
【図３０】発明の第４実施例の変形例の斜視図である。
【図３１】本発明の第４実施例の変形例の斜視図である。
【符号の説明】
１、５０、５００、７４、７７、８７、９１  座標入力装置
２  ケース
３，４  回路基板
５  カバー
６  接続ケーブル
７  取り付けネジ
８  座標入力部
８ａ、８ｂ、８ｃ、８ｄ  操作面
９  ケーブル
１０  右スイッチ
１１  左スイッチ
１２  ＰＳ／２ポート用コネクタ
１３  カバー本体
１４  右用操作ボタン
１５  左用操作ボタン
１６  開閉部
１７，１９  開口部
１８  軸
２０  爪部
２１  係合部
２２  凸部
２３，２４  抵抗膜
２５，２６  ＰＥＴフィルム
２７，２８  電極
２９  ドットスペーサ
３１  検出部
３２、３８、７２  制御部
３９、７９、８１、８３  フォトカプラ
４０、８０、８２、８４  貫通孔
５１  ＰＣ
５２  表示装置
５３、７３、７５、７８、８８、９２  シート
５４  ＭＣＵ
６１、６３、６５  マイクロスイッチ
５９  ドライバソフト
６０  アプリケーション
６２、６４、６６  凹部
７０、７１、８５、８６  係着部
７６  格納部
８９  読み取り装置
９０  バーコード
【図１】
0004540770.tif 000002
【図２】
0004540770.tif 000003
【図３】
0004540770.tif 000004
【図４】
0004540770.tif 000005
【図５】
0004540770.tif 000006
【図６】
0004540770.tif 000007
【図７】
0004540770.tif 000008
【図８】
0004540770.tif 000009
【図９】
0004540770.tif 000010
【図１０】
0004540770.tif 000011
【図１１】
0004540770.tif 000012
【図１２】
0004540770.tif 000013
【図１３】
0004540770.tif 000014
【図１４】
0004540770.tif 000015
【図１５】
0004540770.tif 000016
【図１６】
0004540770.tif 000017
【図１７】
0004540770.tif 000018
【図１８】
0004540770.tif 000019
【図１９】
0004540770.tif 000020
【図２０】
0004540770.tif 000021
【図２１】
0004540770.tif 000022
【図２２】
0004540770.tif 000023
【図２３】
0004540770.tif 000024
【図２４】
0004540770.tif 000025
【図２５】
0004540770.tif 000026
【図２６】
0004540770.tif 000027
【図２７】
0004540770.tif 000028
【図２８】
0004540770.tif 000029
【図２９】
0004540770.tif 000030
【図３０】
0004540770.tif 000031
【図３１】
0004540770.tif 000032